(57)【要約】【課題】ユーザが片手で電子機器を容易に把持することが可能な、新規かつ改良された電子機器を提案する。【解決手段】外部に露出した表示面を有する筐体と、前記筐体における前記表示面とは反対側の底面側に設けられ、少なくとも一部が前記底面よりも外方へ突出したバッテリと、前記筐体の端部に前記底面から外方へ突出するように形成され、前記バッテリを覆う凸部と、を備える、電子機器【選択図】図１２
2012226679.tif 000002
【特許請求の範囲】
【請求項１】
外部に露出した表示面を有する筐体と、
前記筐体における前記表示面とは反対側の底面側に設けられ、少なくとも一部が前記底面よりも外方へ突出したバッテリと、
前記筐体の端部に前記底面から外方へ突出するように形成され、前記バッテリを覆う凸部と、
を備える、電子機器。
【請求項２】
前記凸部は、前記筐体の短手方向の一端側に、前記筐体の長手方向に沿って設けられている、請求項１に記載の電子機器。
【請求項３】
前記凸部は、
頂部と、
前記底面から前記頂部へ向かって斜面が形成された傾斜部と、
を有する、請求項２に記載の電子機器。
【請求項４】
前記傾斜部は、
前記底面の前記短手方向の一端側から前記頂部へ向かって形成された第１の斜面と、
前記底面の前記短手方向の他端側から前記頂部へ向かって形成された第２の斜面と、
を有し、
前記第１の斜面の前記短手方向における幅は、前記第２の斜面の前記短手方向における幅よりも小さい、請求項３に記載の電子機器。
【請求項５】
前記バッテリの形状は、円筒形状であり、
前記バッテリの長手方向が、前記筐体の長手方向に沿っている、請求項１に記載の電子機器。
【請求項６】
前記凸部内において前記バッテリの周囲に設けられ、前記底面側から音を発するスピーカ部を更に備える、請求項１に記載の電子機器。
【請求項７】
前記凸部内において前記バッテリの周囲に設けられ、通信ケーブルと接続する接続口を更に供える、請求項１に記載の電子機器。
【請求項８】
前記表示面に重畳して設けられた入力操作用のタッチパネルを更に備える、請求項１に記載の電子機器。
【請求項９】
前記凸部に係合し、前記凸部及び前記表示面を覆う保護カバーを更に備える、請求項１に記載の電子機器。
【請求項１０】
前記筐体は、
入力部を有し、前記バッテリと前記凸部が設けられた第１の筐体と、
前記表示面を有し、前記第１の筐体に対して移動可能な第２の筐体と、
で構成される、請求項１に記載の電子機器。
【請求項１１】
前記入力部は、複数のキーを有するキーボードであり、
前記第２の筐体は、
前記第１の筐体と重なって前記キーボードを覆う初期状態と、
前記初期状態から前記第１の筐体に対してスライドして、前記キーボードが露出するスライド状態と、
前記スライド状態から前記第１の筐体に対してチルトしたチルト状態と、
の間を遷移する、請求項１０に記載の電子機器。
【発明の詳細な説明】
【技術分野】
【０００１】
本開示は、電子機器に関し、より詳細には、ユーザが容易に把持可能な電子機器に関する。
【背景技術】
【０００２】
電子機器として、例えば、ＰＤＡ等の携帯情報端末や、モバイルパソコン等の情報機器が一般的に用いられている。
【０００３】
上記の携帯性を有する電子機器は、近年においては小型化されている。このため、ユーザは、電子機器を持ち運ぶ際に、片手で電子機器を把持することが想定される（特許文献１参照）。
【先行技術文献】
【特許文献】
【０００４】
【特許文献１】特開２０１０−１５７４４１号公報
【発明の概要】
【発明が解決しようとする課題】
【０００５】
ところで、上述した電子機器の形状は、一般的に薄型の平板形状である。平板形状の場合には、電子機器の表面が滑ったり、電子機器をグリップし難い。このため、ユーザは、電子機器を片手で把持した状態で持ち運び難い。
【０００６】
そこで、本開示では、ユーザが片手で電子機器を容易に把持することが可能な、新規かつ改良された電子機器を提案する。
【課題を解決するための手段】
【０００７】
本開示によれば、外部に露出した表示面を有する筐体と、前記筐体における前記表示面とは反対側の底面側に設けられ、少なくとも一部が前記底面よりも外方へ突出したバッテリと、前記筐体の端部に前記底面から外方へ突出するように形成され、前記バッテリを覆う凸部と、を備える、電子機器が提供される。
【発明の効果】
【０００８】
以上説明したように本開示によれば、ユーザが片手で電子機器を容易に把持することが可能となる。
【図面の簡単な説明】
【０００９】
【図１】電子機器１００のデフォルト状態を示す概略斜視図である。
【図２】電子機器１００のスライド途中状態を示す概略斜視図である。
【図３】電子機器１００のスライド完了状態を示す概略斜視図である。
【図４】電子機器１００のチルト状態を示す概略斜視図である。
【図５】載置面Ｓに載置されたデフォルト状態の電子機器１００を示す側面図である。
【図６】載置面Ｓに載置されたチルト状態の電子機器１００の示す側面図である。
【図７】チルト状態の電子機器１００の背面側を示す斜視図である。
【図８】図７の部分Ａを拡大した拡大図である。
【図９】本体側筐体１２０の底面側を示す斜視図である。
【図１０】本体側筐体１２０の分解斜視図である。
【図１１】デフォルト状態の電子機器１００を示す平面図である。
【図１２】図１１のＡ−Ａ断面図である。
【図１３】ユーザが凸部１４０を把持している様子を示す斜視図である。
【図１４】ユーザが凸部１４０を把持している様子を示す側面図である。
【図１５】スピーカユニット２００、３００を示す斜視図である。
【図１６】スピーカユニット２００の平面図である。
【図１７】スピーカユニット２００の側面図である。
【図１８】図１６のＢ−Ｂ断面図である。
【図１９】図１７のＣ−Ｃ断面図である。
【図２０】スピーカユニット２００の内部を示す斜視図である。
【図２１】スピーカ２１０が発した音の伝達経路を説明するための図である。
【図２２】保護カバー４００が装着されたデフォルト状態の電子機器１００を上面側から見た斜視図である。
【図２３】保護カバー４００が装着されたデフォルト状態の電子機器１００を底面側から見た斜視図である。
【図２４】保護カバー４００を示す斜視図である。
【図２５】保護カバー４００が装着されたデフォルト状態の電子機器１００の底面図である。
【図２６】図２５のＤ−Ｄ断面図である。
【図２７】図２６の部分Ｂを拡大した拡大図である。
【図２８】保護カバー４００が装着されたチルト状態の電子機器１００を上面側から見た斜視図である。
【図２９】保護カバー４００が装着されたチルト状態の電子機器１００を底面側から見た斜視図である。
【発明を実施するための形態】
【００１０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１１】
なお、説明は以下の順序で行うものとする。
１．電子機器の構成
２．本体側筐体の詳細構成
３．スピーカユニットの詳細構成
４．保護カバーについて
５．まとめ
【００１２】
＜１．電子機器の構成＞
（電子機器の概略構成）
図１〜図４を参照しながら、本実施形態に係る電子機器１００の概略構成について説明する。なお、図１は、電子機器１００のデフォルト状態を示す概略斜視図である。図２は、電子機器１００のスライド途中状態を示す概略斜視図である。図３は、電子機器１００のスライド完了状態を示す概略斜視図である。図４は、電子機器１００のチルト状態を示す概略斜視図である。
【００１３】
図１〜図４に示すように、電子機器１００は、表示部１１２を備える表示側筐体１１０と、複数のキーを含むキーボード１２２を備える本体側筐体１２０とが移動可能に連結されている。表示側筐体１１０および本体側筐体１２０は、例えばそれぞれ平板形状となっており、同一サイズに形成されている。なお、本実施形態では、本体側筐体１２０が第１の筐体に該当し、表示側筐体１１０が第２の筐体に該当する。また、キーボード１２２が入力部に該当する。
【００１４】
表示側筐体１１０および本体側筐体１２０は、電子機器１００の閉じた状態（初期状態に該当する）では、図１に示すように、本体側筐体１２０の上に表示側筐体１１０が位置するように設けられる。すなわち、表示側筐体１１０と本体側筐体１２０とはｚ方向に積層された状態となっている。このとき、表示側筐体１１０に設けられた表示部１１２が機器外部側にあるように（すなわち、本体側筐体１２０と対向する面と反対側の面にあるように）、表示側筐体１１０は本体側筐体に対して設けられる。したがって、ユーザは、電子機器１００が閉じているデフォルト状態においても、表示部１１２に表示されるコンテンツ等の情報を視認することができる。
【００１５】
表示側筐体１１０と本体側筐体１２０とは、スライド機構（不図示）によって所定のスライド方向に移動可能に接続されている。図２に示すように、本実施形態では、表示側筐体１１０は、スライド機構により、本体側筐体１２０に対してスライド方向であるｙ方向にスライドすることができる。表示側筐体１１０をｙ軸正方向にスライドさせると、本体側筐体１２０の一部が露出される。表示側筐体１１０がスライドすることによって露出される本体側筐体１２０の領域には、図２および図３に示すように、キーボード１２２が設けられている。表示側筐体１１０を最大限に移動可能な位置までスライドさせると、図３に示すように、本体側筐体１２０に設けられたキーボード１２２がすべて現われ、キーボード１２２を使用可能な状態となる。
【００１６】
さらに、電子機器１００は、表示側筐体１１０と本体側筐体１２０とを回転可能にするヒンジ機構を備えている。ヒンジ機構は、図３に示すスライド完了状態となると、図４に示すように、表示側筐体１１０を本体側筐体１２０に対して回転させることが可能となる。ユーザは、表示側筐体１１０を回転させて表示部１１２が見易くなるように調整して、ノート型のパーソナルコンピュータのように使用することができる。
【００１７】
電子機器１００は、表示側筐体１１０の表示部１１２（表示面）と対応する領域にタッチセンサ（図示せず。）を重畳して備えている場合には、図１に示すデフォルト状態で指等の操作体を表示部１１２に接触させることで操作入力を行うことができる。また、テキスト入力等のようにキーボード１２２を使用した方が情報を入力し易い場合には、図２〜図４に示すように、表示側筐体１１０を本体側筐体１２０に対してスライドさせることでキーボード１２２から操作入力を行うことができる。この際、表示側筐体１１０を回転させることで、より操作入力を行い易くすることができる。
【００１８】
このように本実施形態に係る電子機器１００は、スライド機構およびヒンジ機構によってその形態を変化させることができるが、これらの機構は、容易に形態変更できるとともに、機器の使用感や操作性を高めるように構成されている。
【００１９】
（電子機器の使用形態について）
本実施形態に係る電子機器１００は、デフォルト状態ではユーザが電子機器１００を持った状態で使用することも可能であるが、テーブル等の載置面に載置された状態で使用され得る。
【００２０】
以下においては、図５と図６を参照しながら、載置面に載置された電子機器１００の使用形態について説明する。図５は、載置面Ｓに載置されたデフォルト状態の電子機器１００を示す側面図である。図６は、載置面Ｓに載置されたチルト状態の電子機器１００の示す側面図である。
【００２１】
図５と図６に示すように、電子機器１００は、本体側筐体１２０の底面１３２側が設置面Ｓに接触することで、載置面Ｓに載置される。具体的には、本体側筐体１２０の底面１３２の短手方向の一端１３３と、他端側に形成された凸部１４０とが、載置面Ｓに接触する。なお、凸部１４０を含む本体側筐体１２０の底面１３２側の詳細構成については、後述する。
【００２２】
図５に示すように、電子機器１００がデフォルト状態で載置面Ｓに載置された場合には、表示部１１２に表示された表示画面に対して、タッチパネルにより操作入力を行うことができる。ここで、電子機器１００は、凸部１４０が載置面Ｓに接触しているため、載置面Ｓに対して傾斜した状態で載置されることになる。このため、デフォルト状態では、表示部１１２が載置面Ｓに対して傾斜しており（ユーザ側に向いて傾斜しており）、ユーザは、表示部１１２を見やすくなる。同様に、ユーザは、タッチパネルによる操作入力も行いやすくなる。
【００２３】
図６に示すように、電子機器１００がチルト状態で載置面Ｓに載置された場合には、表示部１１２に表示された表示画面に対して、キーボード１２２により操作入力を行うことができる。チルト状態では、キーボード１２２が載置面Ｓに対して傾斜しており（ユーザ側に向いて傾斜しており）、ユーザは、キーボード１２２による操作入力を行いやすい。また、本体側筐体１２０が傾斜しているため、表示側筐体１１０の本体側筐体１２０に対するチルト角度（チルト状態の角度）が小さくても、表示側筐体１１０の載置面Ｓに対する傾斜角度を大きくすることができる。このようにチルト角度を小さくすることで、表示側筐体１１０がチルトする際にキーボード１２２の配置面（操作面）にオーバーラップする量を減らすことができる。この結果、操作面においてキーボード１２２として使える領域を増やすことができるため、電子機器１００が小型化してもキーボード１２２の配置スペースを確保できる。
【００２４】
上記では、電子機器１００のデフォルト状態とチルト状態について説明したが、図３のスライド状態の電子機器１００を載置面Ｓに載置した状態でも、表示部１１２に表示された表示画面に対して、キーボード１２２により操作入力を行うことができる。
【００２５】
ところで、本実施形態に係る電子機器１００は、デフォルト状態だけで無く、チルト状態で持ち運ぶことも可能な構成となっている。そして、チルト状態の電子機器１００をユーザが持ち運び易くするために、本体側筐体１２０は、凹凸部１２６を有する。
【００２６】
図７と図８を参照しながら、凹凸部１２６について説明する。図７は、チルト状態の電子機器１００の背面側を示す斜視図である。図８は、図７の部分Ａを拡大した拡大図である。
【００２７】
図７と図８に示すように、本体側筐体１２０は、キーボード１２２が配置される前面の背面側に凹凸部１２６を有する。凹凸部１２６は、ユーザがチルト状態の電子機器１００を持ち運ぶ際に、例えば親指でグリップする部分である。凹凸部１２６は、例えば模様のような凹凸に形成されており、ユーザが電子機器１００を片手で把持する（図１３参照）際の滑り止めの機能を有する。このため、ユーザが凹凸部１２６を把持することで、チルト状態の電子機器１００を持ち運びやすくなる。
【００２８】
＜２．本体側筐体の詳細構成＞
図９〜図１２を参照しながら、本体側筐体１２０の詳細構成について説明する。図９は、本体側筐体１２０の底面側を示す斜視図である。図１０は、本体側筐体１２０の分解斜視図である。図１１は、デフォルト状態の電子機器１００を示す平面図である。図１２は、図１１のＡ−Ａ断面図である。
【００２９】
図１０に示すように、本体側筐体１２０は、底面側ケース１３０と上面側ケース１７０により構成される。前述したキーボード１２２と凹凸部１２６は、上面側ケース１７０に設けられている（図７参照）。
【００３０】
電子機器１００は、本体側筐体１２０内に各種の電気部品を含む。図１０に示すように、本体側筐体１２０内には、バッテリ１６０と、スピーカユニット２００、３００が設けられている。なお、スピーカユニット２００が第１のスピーカ部に該当し、スピーカユニット３００が第２のスピーカ部に該当する。
【００３１】
（バッテリ１６０について）
バッテリ１６０は、電子機器１００の底面側に設けられ、電子機器１００に電力を供給する。本実施形態に係るバッテリ１６０は、形状が円筒形状である円筒型バッテリである。円筒型バッテリは、いわゆるポリマータイプの角型バッテリや平面状バッテリよりも、同一体積あたりの電力の容量が大きい。例えば、円筒型バッテリの容量は、角型バッテリの容量の約１．５倍である。
【００３２】
図１０に示すように、バッテリ１６０は、本体側筐体１２０の短手方向の一端側（本体側筐体１２０の背面側）に配置されている。バッテリ１６０は、バッテリ１６０の長手方向が本体側筐体１２０の長手方向に沿うように、配置されている。このように配置されるバッテリ１６０は重量があるため、電子機器１００の重心が短手方向の一端側に位置することになる。なお、本体側筐体１２０の長手方向は図１０のｘ軸方向であり、本体側筐体１２０の短手方向は図１０のｙ軸方向である。
【００３３】
図１２に示すように、バッテリ１６０は、本体側筐体１２０の厚み方向において、一部が底面側ケース１３０の底面１３２よりも外方へ突出している。バッテリ１６０の底面１３２よりも突出した部分は、底面側ケース１３０の凸部１４０によって覆われている。なお、バッテリ１６０の一部が底面１３２よりも外方へ突出していることとしたが、バッテリ１６０全体が底面１３２よりも外方へ突出しても良い。
【００３４】
（スピーカユニット２００、３００について）
スピーカユニット２００、３００は、音楽等の音を発生する。スピーカユニット２００、３００が発生した音は、凸部１４０の開口部を介して外部へ伝達される。すなわち、電子機器１００の底面から放射された音は、載置面Ｓ（図５参照）を反射して、ユーザに伝達される。なお、本実施形態に係るスピーカユニット２００、３００は、スピーカ背面から発せられた音の位相を変化させ、共振現象を用いて低音域の増幅用として利用するバスレフ型スピーカユニットである。
【００３５】
図１０に示すように、スピーカユニット２００、３００は、凸部１４０内においてバッテリ１６０の周囲に設けられている。具体的には、スピーカユニット２００は、本体側筐体１２０の長手方向の一端側におけるバッテリ１６０の周囲に設けられ、スピーカユニット３００は、長手方向の他端側におけるバッテリ１６０の周囲に設けられている。これにより、バッテリ１６０をカバーするための凸部１４０内のデッドスペースを有効活用すると共に、スピーカを大型化できる。なお、スピーカユニット２００、３００の詳細構成については、後述する。
【００３６】
（凸部１４０について）
図９と図１０に示すように、本体側筐体１２０は、底面側ケース１３０の底面１３２側に凸部１４０を有する。凸部１４０は、底面１３２から外方へ突出するように形成され、底面１３２から突出したバッテリ１６０を覆う。
【００３７】
凸部１４０は、本体側筐体１２０の短手方向の一端側（本体側筐体１２０の背面側）に形成されている。また、凸部１４０は、本体側筐体１２０の長手方向に沿って設けられている。
【００３８】
凸部１４０の断面形状は、図１２に示すように略三角形状を成している。凸部１４０は、頂部１４２と、傾斜部１４４を有する。頂部１４２は、図９に示すように、本体側筐体１２０の長手方向に沿って形成された頂面１４３を有する。傾斜部１４４は、底面１３２から頂部１４２（具体的には、頂面１４３）へ向かって傾斜された４つの斜面１４６、１４７、１４８、１４９を有する。なお、斜面１４７が第１の斜面に該当し、斜面１４６が第２の斜面に該当する。
【００３９】
斜面１４６は、底面１３２の短手方向の他端側から頂面１４３へ向かって形成された斜面である。斜面１４６は、本体側筐体１２０の長手方向に沿って形成された矩形状の面である。斜面１４６の長手方向の両端側で、かつ斜面の底面１３２側には、開口部１５１、１５２が形成されている。
【００４０】
開口部１５１は、スピーカユニット２００に対向する位置に形成されている。開口部１５１は、スピーカユニット２００が発した音を外部に伝達する。開口部１５２は、スピーカユニット３００に対向する位置に形成されている。開口部１５２は、スピーカユニット３００が発した音を外部に伝達する。
【００４１】
斜面１４６の、長手方向において開口部１５１、１５２よりも中央側で、かつ底面１３２側には、係合穴１５３、１５４が形成されている。係合穴１５３と係合穴１５４は、凸部１４０と表示部１１２を覆う保護カバーと係合する。保護カバーの詳細については、後述する。
【００４２】
斜面１４７は、底面１３２の短手方向の一端側から頂面１４３へ向かって形成された斜面である。斜面１４７は、本体側筐体１２０の長手方向に沿って形成された矩形状の面である。斜面１４７には、不図示の通信ケーブルと接続する接続口１５５（図１３参照）が設けられている。接続口１５５は、凸部１４０におけるバッテリ１６０の周囲のデットスペースに設けられている。
【００４３】
図１２に示すように、斜面１４７の底面１３２に対する傾斜角度は、斜面１４６の底面１３２に対する傾斜角度よりも大きい。そして、斜面１４７の短手方向における幅Ｗ１が、斜面１４６の短手方向における幅Ｗ２よりも小さくなるように、斜面１４６、１４７が形成されている。
【００４４】
斜面１４８は、底面１３２の長手方向の一端側から頂面１４３へ向かって形成された斜面である。斜面１４８は、本体側筐体１２０の短手方向に沿って形成された三角形状の面である。斜面１４８には、スピーカユニット２００に対向する位置に開口部１５６が形成されている。開口部１５６は、スピーカユニット２００が背面から発した音を外部へ伝達する。
【００４５】
斜面１４９は、底面１３２の長手方向の他端側から頂面１４３へ向かって形成された斜面である。斜面１４９は、本体側筐体１２０の短手方向に沿って形成された三角形状の面である。斜面１４９には、スピーカユニット３００に対向する位置に開口部１５７が形成されている。開口部１５７は、スピーカユニット２００が背面から発した音を外部へ伝達する。
【００４６】
電子機器１００が載置面Ｓ上に載置される際に、頂部１４２が載置面Ｓに接触するが、傾斜部１４４（４つの斜面１４６、１４７、１４８、１４９）は載置面Ｓに接触しない。すなわち、傾斜部１４４と載置面Ｓの間に空間が形成され、４つの斜面１４６、１４７、１４８、１４９に設けられた開口部は、載置面Ｓによって塞がれない。
【００４７】
ところで、電子機器１００が薄型の平板形状であるが、上述した構成の凸部１４０を設けたことにより、凸部１４０をグリップしやすいために、ユーザが電子機器１００を持ち運ぶ際に片手で容易に把持することができる。以下において、図１３と図１４を用いて、より詳しく説明する。
【００４８】
図１３は、ユーザが凸部１４０を把持している様子を示す斜視図である。図１４は、ユーザが凸部１４０を把持している様子を示す側面図である。図１３と図１４に示すように、ユーザは、親指以外の４つの指を本体側筐体１２０の凸部１４０に添え、親指を表示側筐体１１０に添える。このとき、凸部１４０の斜面に添った４つの指が凸部１４０を引っ掛けることになるため、凸部１４０をグリップしやすくなる。更に、チルト状態では、４つの指が凸部１４０をグリップするだけでなく、親指が凹凸部１２６（図７）をグリップすることになる。この結果、ユーザは、電子機器１００を持ち運ぶ際に片手で容易に把持することができる。
【００４９】
また、凸部１４０に覆われたバッテリ１６０は重量があるため、電子機器１００の重心が凸部１４０に近い位置になる。ユーザは、重心が近い凸部１４０をグリップすることで、グリップが安定するため（また、軽く感じるため）、片手で電子機器１００を把持して容易に持ち運ぶことが可能となる。
【００５０】
更に、図１２に示したように、斜面１４７の短手方向における幅Ｗ１が、斜面１４６の短手方向における幅Ｗ２よりも小さくなるように、斜面１４６、１４７が形成されている。このため、指先を斜面１４６に長い領域だけ添えることになるので、凸部１４０のグリップがより安定する。
【００５１】
＜３．スピーカユニットの詳細構成＞
前述した図１０に示すように、電子機器１００は、バッテリ１６０の周囲にスピーカユニット２００とスピーカユニット３００を有する。スピーカユニットを２つ設けることによって、ステレオ音を発することができる。
【００５２】
図１５は、スピーカユニット２００、３００を示す斜視図である。図１５に示すように、スピーカユニット２００、３００は、同様の構成をしている。そこで、以下においては、スピーカユニット２００の詳細構成について、図１６〜図２０を参照しながら説明する。
【００５３】
図１６は、スピーカユニット２００の平面図である。図１７は、スピーカユニット２００の側面図である。図１８は、図１６のＢ−Ｂ断面図である。図１９は、図１７のＣ−Ｃ断面図である。図２０は、スピーカユニット２００の内部を示す斜視図である。
【００５４】
図１５と図１６に示すように、スピーカユニット２００は、スピーカ２１０と、スピーカユニット筐体２２０と、板金２３０を有する。なお、図１５では、説明の便宜上、板金２３０が図示されていない。
【００５５】
スピーカ２１０は、音楽等の音を発する。スピーカ２１０のような小型スピーカの特性として、スピーカ２１０が大きいほど良い音質や大音量が得やすいことが知られている。このため、本実施形態では、大きいスピーカ２１０を用いることができるように、本体側筐体１２０の底面１３２側においてバッテリ１６０の周囲にスピーカ２１０を配置させている。
【００５６】
スピーカユニット筐体２２０は、内部に空間が形成されるように、例えば２つのケース（上下のケース）を組み合わせて構成されている。スピーカユニット筐体２２０は、Ｌ字状の形状をしており、本体部２２２と、延出部２２６を有する。
【００５７】
本体部２２２は、図１８に示すように内部に空間を有し、スピーカ２１０を収容する。図１５に示すように、本体部２２２の前面２２３は、斜面に形成されており、スピーカ２１０は、前面２２３と平行になるように設けられている。前面２２３には、スピーカ２１０が露出するように、開口２２３ａが形成されている。
【００５８】
図１９に示すように、本体部２２２の内部には、音が伝達される経路２２４が形成されている。経路２２４は、互い違いに形成された壁２２５を有し、迷路状となっている。このように経路２２４の形状を変更することにより、音の伝達経路の長さを調整することができる。
【００５９】
図１９に示すように、延出部２２６は、スピーカ収容部２２２の側面から上方に向かって延出するように、形成されている。延出部２２６は、経路２２７と、開口２２８を有する。経路２２７は、本体部２２２の経路２２４と繋がっている。経路２２４と経路２２７を通過した音は、開口２２８から外部へ伝達される。
【００６０】
本実施形態では、経路２２４と経路２２７が迷路状の経路を構成することにより、限られたスペース内で経路長を変更できる。これにより共振周波数を調整することができ、所望の低音域の増強を実現でき、スピーカユニット２００、３００の音質を高めることができる。
【００６１】
板金２３０は、外部からの静電気でスピーカ２１０が破壊されることを防止する機能を有する。板金２３０は、スピーカ２１０と、本体部２２２の開口２２３ａとを覆う。板金２３０は、スピーカ２１０に対応する部分にスリット２３１を有する。
【００６２】
上述した構成のスピーカユニット２００、３００は、図１０に示すように、凸部１４０におけるバッテリ１６０の周囲に配置される。具体的には、スピーカユニット２００の本体部２２２は斜面１４６に沿って配置され、延出部２２６は斜面１４８に沿って配置される。スピーカユニット３００の本体部３２２は斜面１４６に沿って配置され、延出部３２６は斜面１４９に沿って配置される。すなわち、スピーカユニット２００、３００の本体部２２２、３２２は、バッテリ１６０の長手方向の側面に沿って配置され、延出部２２６、３２６は、バッテリ１６０の短手方向の側面に沿って配置される。
【００６３】
前述したように凸部１４０はバッテリ１６０をカバーするものであるが、本実施形態では凸部１４０とバッテリ１６０の間のスペース（デッドスペース）に、スピーカユニット筐体２２０を配置させている。つまり、本実施形態によれば、スピーカユニット２００、３００を配置させるための専用スペースを設ける必要が無く、凸部１４０のデットスペースを有効活用できる。
【００６４】
また、本体側筐体１２０の前面側にはキーボード１２２が配置されるため、前面側には小さいスピーカしか配置できない。これに対して、本体側筐体１２０の底面側にスピーカを配置させることで、配置の自由度が増すと共に、配置スペースも広く確保することができる。特に、スピーカユニット２００、３００の本体部２２２、３２２と、延出部２２６、３２６とを異なる斜面に沿って配置させることで、凸部１４０のデッドスペースをより有効に活用できる。
【００６５】
更に、バッテリ１６０は円筒形状であるため、凸部１４０との間にデッドスペースが生じ易い。このため、円筒形状のバッテリ１６０を覆う凸部１４０内には、大きいスピーカを配置することができる。また、スピーカを斜面に沿って傾斜配置することで、音質向上に効果的なスピーカ背面の空間を広げることができ、音量や音質を向上させることができる。
【００６６】
なお、上記実施形態では、スピーカ２１０を収容し、内部に音の伝達経路を有するスピーカユニット筐体２２０を、凸部１４０内に配置させることとしたが、これに限定されない。例えば、スピーカユニット筐体に収容されていないスピーカ２１０を本体側筐体１２０内に配置し、本体側筐体１２０を構成する底面側ケース１３０と上面側ケース１７０によって音の伝達経路（空間）を形成しても良い。かかる場合には、スピーカユニット筐体２２０が不要となる分、スピーカを配置するスペースもしくはスピーカ背面の空間を更に確保でき、更なるスピーカの大型化が可能となる。
【００６７】
ここで、図２１を参照しながら、載置面Ｓに載置された電子機器１００のスピーカユニット２００、３００が発した音の伝達経路について説明する。図２１は、スピーカ２１０が発した音の伝達経路を説明するための図である。なお、図２１では、説明の便宜上、表示側筐体１１０が省略されている。また、図２１の電子機器１００は、デフォルト状態でとチルト状態のいずれの状態であっても良い。すなわち、本体側筐体１２０の底面側に設けられたスピーカユニット２００、３００は、電子機器１００の状態に関わらず、音をユーザに伝達することができる。
【００６８】
図２１に示すように、電子機器１００が載置面Ｓに載置された際には、底面１３２の端部１３３と凸部１４０の頂面１４３とが載置面Ｓに接触し、本体側筐体１２０の長手方向における端部１３３と頂面１４３の間の部分（斜面１４６等）は、載置面Ｓに接触しない。このため、斜面１４６の開口部１５１、１５２と、載置面Ｓとの間に、音が振動する空間が形成される。
【００６９】
そして、スピーカユニット２００、３００が発した音（ここでは、スピーカユニット２００のスピーカ２１０が発した音を例に挙げて説明する）は、図２１に示すように、凸部１４０の斜面１４６の開口部１５１から空間に向けて放射される。そして、電子機器１００の外部に放射された音は、載置面Ｓを反射して、電子機器１００に向かい合うユーザに伝達される。また、スピーカの背面からの音は、凸部１４０の斜面１４８の開口部１５６から放射されて、ユーザに伝達される。
【００７０】
このように、本実施形態によれば、筐体の底面１３２側にスピーカユニット２００、３００を有する電子機器１００を載置面Ｓに載置しても、音が外部に放射される開口部１５１、１５２が載置面Ｓに塞がれない。このため、ユーザは、スピーカユニット２００、３００が発した音を高音質かつ大音量で聴くことができる。
【００７１】
＜４．保護カバーについて＞
本実施形態の表示部１１２は、図１に示すように、電子機器１００のデフォルト状態において外部に露出している。表示部１１２が外部に露出した状態では、例えばデフォルト状態の電子機器１００を持ち運ぶ際に、表示部１１２の表示面に傷が付く恐れがある。そこで、本実施形態に係る電子機器１００は、表示部１１２の表示面に傷が付くことを防止するために、表示部１１２を保護する保護カバーを有する。
【００７２】
以下においては、図２２〜図２７を参照しながら、保護カバー４００の構成について説明する。なお、図２２は、保護カバー４００が装着されたデフォルト状態の電子機器１００を上面側から見た斜視図である。図２３は、保護カバー４００が装着されたデフォルト状態の電子機器１００を底面側から見た斜視図である。図２４は、保護カバー４００を示す斜視図である。図２５は、保護カバー４００が装着されたデフォルト状態の電子機器１００の底面図である。図２６は、図２５のＤ−Ｄ断面図である。図２７は、図２６の部分Ｂを拡大した拡大図である。
【００７３】
図２２と図２３に示すように、保護カバー４００は、デフォルト状態の電子機器１００の凸部１４０に係合し、表示部１１２を覆う。これにより、保護カバー４００は、デフォルト状態の電子機器１００の表示部１１２を保護する。
【００７４】
保護カバー４００は、例えば樹脂等で成形され、厚みがほぼ均一である。図２４に示すように、保護カバー４００は、基部４１０と、係止部４１６と、折り曲げ部４２０を有する。
【００７５】
基部４１０は、平板形状を成しており、表示側筐体１１０と同じ大きさである。基部４１０は、図２２に示すようにデフォルト状態の電子機器１００の表示側筐体１１０全体を覆う。なお、基部４１０は、表示側筐体１１０を覆う際に、僅かな隙間を挟んで表示部１１２と対向する。これにより、基部４１０が表示部１１２と接触して、表示部１１２が傷つくことを防止できる。
【００７６】
係止部４１６は、基部４１０に対して直交する方向に延出した部分である。図２２に示すように、係止部４１６は、表示側筐体１１０の短手方向の一端部１１０ａに係止する。これにより、表示側筐体１１０を覆う基部４１０の表示部１１２に対する位置がずれることを防止できる。
【００７７】
折り曲げ部４２０は、基部４１０からＬ字状に延出した部分である。図２６に示すように、折り曲げ部４２０は、保護カバー４００が電子機器１００に装着された際に、凸部１４０を覆う。折り曲げ部４２０は、第１曲げ部４２１と、第２曲げ部４２２を有する。
【００７８】
第１曲げ部４２１は、基部４１０の端部と繋がった部分である。図２３に示すように、第１曲げ部４２１は、保護カバー４００が電子機器１００に装着された際に、凸部１４０の斜面１４７と接触した状態となる。
【００７９】
第２曲げ部４２２は、図２３に示すように、保護カバー４００が電子機器１００に装着された際に、凸部１４０の斜面１４６と接触した状態となる。第２曲げ部４２２の幅は、第１曲げ部４２１の幅よりも小さく、電子機器１００に装着された際に凸部１４０の開口部１５１、１５２を塞がないようにしている。これにより、保護カバー４００が装着された状態でも、スピーカユニット２００、３００が発した音をユーザが聞き取れる。
【００８０】
第２曲げ部４２２は、両端側に、凸部１４０と係合する係合部４２４、４２６を有する。係合部４２４は、凸部１４０の係合穴１５３（図９参照）と係合し、係合部４２６は、凸部１４０の係合穴１５４（図９参照）と係合する。
【００８１】
係合部４２４は、ユーザの操作によって、退避位置とロック位置の間をスライド可能なスライド部材である。保護カバー４００を電子機器１００に着脱する際には、係合部４２４は退避位置に位置し、保護カバー４００が電子機器１００に装着された際には、図２４に示すロック位置に位置する。
【００８２】
係合部４２４は、図２７に示すようにフック４２５を有する。フック４２５は、係合部４２４のスライドに連動して移動する。図２７に示すように、係合部４２４がロック位置に位置する際にフック４２５が係合穴１５３の縁部１５３ａにロックされることで、係合部４２４が係合穴１５３と係合する。
【００８３】
係合部４２６も、係合部４２４と同様に、退避位置とロック位置の間をスライド可能なスライド部材である。係合部４２６は、フック（不図示）を有し、フックが係合穴１５４の縁部にロックされることで、係合部４２６が係合穴１５４と係合する。
【００８４】
上述した係合部４２４、４２６によって、保護カバー４００が装着された電子機器１００を持ち運ぶ際に、保護カバー４００が外れることを防止できる。なお、上記では、二つの係合部４２４、４２６を設けることとしたが、これに限定されず、係合部は、一つのみ、又は３つ以上でも良い。
【００８５】
上記では、保護カバー４００がデフォルト状態の電子機器１００に装着された場合を例に挙げて説明したが、図２８と図２９に示すように、保護カバー４００をチルト状態の電子機器１００に装着させることができる。
【００８６】
図２８は、保護カバー４００が装着されたチルト状態の電子機器１００を上面側から見た斜視図である。図２９は、保護カバー４００が装着されたチルト状態の電子機器１００を底面側から見た斜視図である。
【００８７】
電子機器１００がデフォルト状態の場合には、前述した図２２に示すように、保護カバー４００の係止部４１６は、表示側筐体１１０の短手方向の一端部１１０ａに係止する。これに対して、電子機器１００がチルト状態の場合には、図２８に示すように、表示側筐体１１０の短手方向の他端部１１０ｂに係止する。また、チルト状態の場合には、デフォルト状態とは異なり、保護カバー４００の屈曲部４１２で折り曲げられている。
【００８８】
上記の構成によれば、保護カバー４００が装着されたデフォルト状態の電子機器１００をチルト状態に移行しても、保護カバー４００を電子機器１００から取り外す必要が無い。このため、保護カバー４００が装着されたチルト状態の電子機器１００をデフォルト状態に移行した際に、保護カバー４００を電子機器１００に装着する手間を省くことができ、ユーザの利便性が向上する。
【００８９】
また、チルト状態の電子機器１００に保護カバー４００を装着することで、図７に示す状態に比べ、表示側筐体１１０の背面側の機構が外部に露出することを防止できるため、デザイン上も利点もある。また、保護カバー４００によって、表示側筐体１１０の背面と本体側筐体１２０との間に、誤って部品等が入り込むことを防止できる。
【００９０】
＜５．まとめ＞
上述した図１２に示すように、本実施形態の電子機器１００は、電子機器１００の筐体における表示部１１２とは反対側の底面１３２側に設けられ、少なくとも一部が底面１３２よりも外方へ突出したバッテリ１６０と、本体側筐体１２０の端部に底面１３２から外方へ突出するように形成され、バッテリ１６０を覆う凸部１４０と、を備える。
【００９１】
かかる構成によれば、電子機器１００が平板形状であっても、凸部１４０を設けることで、本体側筐体１２０の端部を掴む際に、図１３に示すように凸部１４０の斜面に添った４つの指が凸部１４０を引っ掛けることになる。このため、ユーザは凸部１４０をグリップしやすくなり、この結果、ユーザは、電子機器１００を持ち運ぶ際に片手で容易に把持することができる。
【００９２】
また、凸部１４０に覆われたバッテリ１６０は重量があるため、電子機器１００の重心が、電子機器１００の端側の凸部１４０に近い位置になる。このため、ユーザは、本体側筐体１２０の端部を掴む際に重心が近い凸部１４０をグリップすることで、グリップがより安定する。この結果、ユーザは、片手で電子機器１００を把持して容易に持ち運ぶことが可能となる。
【００９３】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９４】
上記実施形態では、電子機器として、表示側筐体１１０と本体側筐体１２０とで構成された筐体を有する電子機器１００を例に挙げて説明したが、これに限定されない。例えば、電子機器は、一つの筐体から成るタブレットであっても良い。また、電子機器は、筐体の底面側にバッテリを有すれば、ＰＤＡ、ゲーム機、電子辞書、携帯電話機であっても良い。
【００９５】
また、上記実施形態では、電子機器１００の表示側筐体１１０が本体側筐体１２０に対してチルトする構成として説明したが、これに限定されない。例えば、表示側筐体１１０と本体側筐体１２０が折りたたみ可能なクラムシェル型の構成、すなわち、開状態では表示部１１２が露出し、閉状態では表示部１１２が本体側筐体１２０によって覆われる構成であっても良い。
【００９６】
また、上記実施形態では、凸部１４０の断面形状が三角形状であることとしたが、これに限定されない。例えば、凸部１４０の断面形状が、半円形状又は矩形形状であっても良い。
【００９７】
また、上記実施形態では、電子機器１００が、二つのスピーカユニット２００、３００（すなわち、ステレオスピーカ）を有することとしたが、これに限定されない。例えば、スピーカユニットは、一つのみ（モノラルスピーカ）でも良く、又は３つ以上であっても良い。
【００９８】
また、上記実施形態では、バッテリ１６０は、円筒型バッテリであることとしたが、これに限定されない。例えば、バッテリ１６０は、角型バッテリや平面状バッテリ等の多様な形状のバッテリであっても良い。
【００９９】
なお、以下のような構成も本開示の技術的範囲に属する。
（１）外部に露出した表示面を有する筐体と、
前記筐体における前記表示面とは反対側の底面側に設けられ、少なくとも一部が前記底面よりも外方へ突出したバッテリと、
前記筐体の端部に前記底面から外方へ突出するように形成され、前記バッテリを覆う凸部と、
を備える、電子機器。
（２）前記凸部は、前記筐体の短手方向の一端側に、前記筐体の長手方向に沿って設けられている、前記（１）に記載の電子機器。
（３）前記凸部は、
頂部と、
前記底面から前記頂部へ向かって斜面が形成された傾斜部と、
を有する、前記（２）に記載の電子機器。
（４）前記傾斜部は、
前記底面の前記短手方向の一端側から前記頂部へ向かって形成された第１の斜面と、
前記底面の前記短手方向の他端側から前記頂部へ向かって形成された第２の斜面と、
を有し、
前記第１の斜面の前記短手方向における幅は、前記第２の斜面の前記短手方向における幅よりも小さい、前記（３）に記載の電子機器。
（５）前記バッテリの形状は、円筒形状であり、
前記バッテリの長手方向が、前記筐体の長手方向に沿っている、前記（１）〜（４）のいずれか１項に記載の電子機器。
（６）前記凸部内において前記バッテリの周囲に設けられ、前記底面側から音を発するスピーカ部を更に備える、前記（１）〜（５）のいずれか１項に記載の電子機器。
（７）前記凸部内において前記バッテリの周囲に設けられ、通信ケーブルと接続する接続口を更に供える、前記（１）〜（６）のいずれか１項に記載の電子機器。
（８）前記表示面に重畳して設けられた入力操作用のタッチパネルを更に備える、前記（１）〜（７）のいずれか１項に記載の電子機器。
（９）前記凸部に係合し、前記凸部及び前記表示面を覆う保護カバーを更に備える、前記（１）〜（８）のいずれか１項に記載の電子機器。
（１０）前記筐体は、
入力部を有し、前記バッテリと前記凸部が設けられた第１の筐体と、
前記表示面を有し、前記第１の筐体に対して移動可能な第２の筐体と、
で構成される、前記（１）〜（９）のいずれか１項に記載の電子機器。
（１１）前記入力部は、複数のキーを有するキーボードであり、
前記第２の筐体は、
前記第１の筐体と重なって前記キーボードを覆う初期状態と、
前記初期状態から前記第１の筐体に対してスライドして、前記キーボードが露出するスライド状態と、
前記スライド状態から前記第１の筐体に対してチルトしたチルト状態と、
の間を遷移する、前記（１０）に記載の電子機器。
【符号の説明】
【０１００】
１００    電子機器
１１０    表示側筐体
１１２    表示部
１２０    本体側筐体
１２２    キーボード
１２６    凹凸部
１３０    底面側ケース
１３２    底面
１４０    凸部
１４２    頂部
１４３    頂面
１４４    傾斜部
１４６、１４７、１４８、１４９    斜面
１５１、１５２    開口部
１５３、１５４    係合穴
１５５    接続口
１５６、１５７    開口部
１６０    バッテリ
２００    スピーカユニット
２１０    スピーカ
２２０    スピーカユニット筐体
２２２    本体部
２２３    前面
２２３ａ    開口
２２４    経路
２２６    延出部
２２７    経路
２２８    開口
２３０    板金
３００    スピーカユニット
３２２    本体部
３２６    延出部
４００    保護カバー
４１０    基部
４１６    係止部
４２０    折り曲げ部
４２１    第１曲げ部
４２２    第２曲げ部
４２４    係合部
４２５    フック
４２６    係合部
Ｓ    載置面
【図１】
2012226679.tif 000003
【図２】
2012226679.tif 000004
【図３】
2012226679.tif 000005
【図４】
2012226679.tif 000006
【図５】
2012226679.tif 000007
【図６】
2012226679.tif 000008
【図７】
2012226679.tif 000009
【図８】
2012226679.tif 000010
【図９】
2012226679.tif 000011
【図１０】
2012226679.tif 000012
【図１１】
2012226679.tif 000013
【図１２】
2012226679.tif 000014
【図１３】
2012226679.tif 000015
【図１４】
2012226679.tif 000016
【図１５】
2012226679.tif 000017
【図１６】
2012226679.tif 000018
【図１７】
2012226679.tif 000019
【図１８】
2012226679.tif 000020
【図１９】
2012226679.tif 000021
【図２０】
2012226679.tif 000022
【図２１】
2012226679.tif 000023
【図２２】
2012226679.tif 000024
【図２３】
2012226679.tif 000025
【図２４】
2012226679.tif 000026
【図２５】
2012226679.tif 000027
【図２６】
2012226679.tif 000028
【図２７】
2012226679.tif 000029
【図２８】
2012226679.tif 000030
【図２９】
2012226679.tif 000031